(57)【要約】【課題】  衛生設備機器の外観を使用者が自ら簡便に交換することにより、トイレ空間内のデザインを変更可能とする。  【解決手段】  本発明では、使用者が排泄を行う洋風大便器本体と、前記洋風大便器本体後方に配置されるキャビネット部と、を有する衛生設備機器において、前記キャビネット部の少なくとも前面部に複数の絵柄に変更可能な外観変更手段を配したことを特徴とする衛生設備機器とした。また、前記外観変更手段は、前記キャビネット部の前面部に透明な前板を設け、その前板の背面に着脱可能に外観変更部材を配置したことを特徴とした。【選択図】  図１
2010213861.tif 000002
【特許請求の範囲】
【請求項１】
使用者が排泄を行う洋風大便器本体と、        
前記洋風大便器本体後方に配置されるキャビネット部と、  
を有する衛生設備機器において、            
前記キャビネット部の少なくとも前面部に複数の絵柄に変更可能な外観変更手段を配した
ことを特徴とする衛生設備機器。
【請求項２】
前記外観変更手段は、前記キャビネット部の前面部に透明な前板を設け、その前板の背面に着脱可能に外観変更部材を配置したことを特徴とする請求項1記載の衛生設備機器。
【請求項３】
前記外観変更部材は、複数枚の絵柄を有する板状部材を前後に積層配置したことを特徴とする請求項１または２に記載の衛生設備機器。
【請求項４】
前記外観変更部材はシート状であり、          
巻き取り動作によって変更される            
ことを特徴とする請求項１または２に記載の衛生設備機器。
【請求項５】
前記外観変更手段は、通電によって絵柄が変更する液晶パネルからなることを特徴とする請求項１に記載の衛生設備機器。            
【請求項６】
前記外観変更手段は、前記衛生設備機器に設けられた人体検知手段の検知によって、自動的に変更することを特徴とする請求項１乃至５の何れかに記載の衛生設備機器。
【発明の詳細な説明】
【技術分野】
【０００１】
本発明は、衛生設備機器に係り、特に使用者のニーズに合わせて外観変更可能とする衛生設備機器に関する
【背景技術】
【０００２】
近年、トイレルームのリフォームにおいて、便器の後方にキャビネットを配置し、そのキャビネットの外郭の色彩・柄を選択できるようにして、トイレルームの全体のイメージを使用者の好みに合わせて変更できるようにしたものが、提案されている。トイレの壁面の壁紙を変える大掛かりな作業でなく、トイレの雰囲気を簡単に変更できるので、好まれている。
従来の衛生設備機器は、その設置に当って色調を好みのものに選定するが、使用者の簡便な交換要望に応えるものとしては、腰掛け便器の下部の袴部を着脱可能とし、デザインの変更等ができるようにしたものがある（例えば、特許文献１参照。）。
【０００３】
また、衛生設備機器、特に洋風大便器上に配置される衛生洗浄装置の本体外観を形成する部分を中空且つ透明な樹脂で構成し、その中空部分に液体着色剤を注入して、外観をトイレ空間の色にコーディネイトしたり、使用者の好みの色に合わせるようにしたものもある。（例えば、特許文献２参照。）。
【先行技術文献】
【特許文献】
【０００４】
【特許文献１】特開平１１−０３６４１６号公報
【特許文献２】特開２０００−１６０６５９号公報
【発明の概要】
【発明が解決しようとする課題】
【０００５】
上記先行文献は、便器や衛生洗浄装置を対象としているため、それらの色違いのものを購入後に部分的に変更できる程度であり、トイレ空間内のイメージを変更できるものでなく、また、絵柄を変更する際には、何れのものも作業が煩雑で、交換したものを破棄または、別途保管しておかなければならなかった。
本発明は、上記問題を解決するためになされたもので、本発明の課題は、簡便に衛生設備機器の外観を変更することで、トイレ空間内のデザインを変更可能とするものである。
【課題を解決するための手段】
【０００６】
上記目的を達成するために請求項１記載の発明は、使用者が排泄を行う洋風大便器本体と、前記洋風大便器本体後方に配置されるキャビネット部と、を有する衛生設備機器において、前記キャビネット部の少なくとも前面部に複数の絵柄に変更可能な外観変更手段を配したことを特徴とする衛生設備機器とした。
【０００７】
本発明によれば、トイレの見え掛り部分の外観を大きな範囲で変更可能であり、例えば、使用者が自らも、簡便にトイレ空間内のデザインを変更可能とすることを可能とした。
【０００８】
また、請求項２記載の発明は、前記外観変更手段は、前記キャビネット部の前面部に透明な前板を設け、その前板の背面に着脱可能に外観変更部材を配置したことを特徴とした。
【０００９】
本発明によれば、透明な前板の背面にある外観変更部材を着脱可能に配置したので、外観を変更したい場合には、外観変更部材のみを、例えば、板状の表裏で絵柄を変えて、外観部材を抜き差しして変更し、衛生設備機器の外観を変更することが可能となる。
【００１０】
また、請求項３記載の発明は、前記外観変更部材は、複数枚の絵柄を有する板状部材を前後に積層配置したことを特徴とした。
【００１１】
本発明によれば、より多くの絵柄を保有でき、要望する外観変更部材を積層配置されたものの最前（透明な前板の次）に持ってくるだけで、衛生設備機器の外観を簡便に変更することが可能となる。
【００１２】
また、請求項４記載の発明は、前記外観変更部材はシート状であり、巻き取り動作によって変更されることを特徴とした。
【００１３】
本発明によれば、シート状として、多くの絵柄を表示でき、巻き取るという簡便な作業、短時間で変更可能であり、要望等に合わせて衛生設備機器の外観を変更することを可能とした。
【００１４】
また、請求項５記載の発明は、外観変更手段は、通電によって絵柄が変更する液晶パネルからなることを特徴とした。
【００１５】
本発明によれば、液晶パネル１枚で液晶の表示形態によって多くの絵柄を通電によって変更できるので、より簡便に衛生設備機器の外観の変更が行える。
【００１６】
また、請求項６記載の発明は、前記外観変更手段は、前記衛生設備機器に設けられた人体検知手段の検知によって、自動的に衛生設備機器の変更することを特徴とした。
【００１７】
本発明によれば、トイレを利用する人がその都度ことなる変更操作不要で、衛生設備機器の外観で変更できる。
【発明の効果】
【００１８】
本発明によれば、簡便に衛生設備機器の外観を変更することで、トイレ空間内のデザインを変更可能とするものである。
【発明を実施するための最良の形態】
【００１９】
以下本発明の実施の形態を図面に沿って詳細に説明する。なお、この発明はそれによって限定されるものではない。
【００２０】
図１は本発明を実施した第一の実施形態における衛生設備機器全体を示す斜視図である。図１を使用して、本実施例における衛生設備機器の全体構成について以下に述べる。
【００２１】
衛生設備機器１は、上面に便座３を開閉自在に固定している洋風大便器２と洋風大便器１の後方（図中右方向）のトイレルームの壁面Ｗとの間に配置されたキャビネット部４からなる。キャビネット部４は、前面部５と側面部６及び天井部７から構成されている。それぞれの外郭は、透明材料からなる前板５ａと、左右に設けられた側板６ａと、天井部７を覆う甲板７ａで構成されている。側板６ａの前方端部（木口）には、Ｒ形状を有する軟質部材が設けられており、使用者の腕や肘が前方端部（木口）にあたってもけがをしないように配慮されている。
【００２２】
前面部５は、後述する構成により、トイレ使用者の所望に合わせて簡便に衛生設備機器の外観を変更できるような外観変更手段になっている。
【００２３】
図２は本発明を実施した第一の実施形態における前面部を示す断面図である。図２を用いて、本実施形態について以下に述べる。
【００２４】
図２において、前面部５の構成は、側面部６に適用しても良い。また、前面部、側面部単独であっても、複数の組み合わせであってもよい。前面部５の構成は、前板５ａ、中板５ｂ、後板５ｃから成る積層構造である。参照符合５ｄは、前板５ａ、中板５ｂ、後板５ｃのそれぞれが適切な間隔で配置されるように固定する栓体である。栓材５ｄの上方側（図中上側）は、着脱自在に配置されている。下側は、外れないように固着されている。また、中板５ｂは、前板５ａと後板５とが、栓体５ｄによって固定した際に形成される前板５ａと後板５との隙間に着脱可能に配置される。中板５ｂの着脱は、上側の栓体５ｄを外した際に開口する隙間に抜き差しすることで行われる。  
【００２５】
前板５ａは、上記したように透明部材であり、中板５ｂは、絵柄が表記された外観変更部材である。後板５ｃは、透明部材であっても不透明部材であっても良い。後板５ｃは、前板５aと共に、中板５ｂを収納できるように空間を形成する役割となっている。中板５ｂは、表裏に異なる絵柄を施したり、中板５ｂを複数枚積層するような構造にして利用する。また、中板５ｂは、１枚の板状部材で構成されているが、複数に分割した、例えば、縦長の帯状の板を組み合わせても良い。その場合には、帯状の板の任意の組み合わせによって、種々の絵柄を作成することができる。そのようにすることで、トイレ使用者が所望のデザインに衛生設備機器の外観を変更することができるようになっている。
【００２６】
次に、上述した構成に基づき、第一実施形態の外観変更の動作について説明する。
現状の衛生設備機器の外観を変更する際には、まず、キャビネット部４の前面部５の栓体５ｄを外す。その後、前板５aと後板５ｃとの間に挿入されている中板５ｂを引き抜く。中板５ｂが一枚の場合には、その裏面を前板５aに向けて挿入して、表面の絵柄と異なる絵柄を表示することができる。また、前面部５とは、異なるキャビネット部４内に収納された別の中板を利用しても良い。なお、中板５ｂが、前面部５内に複数枚収納されている場合には、その中から所望する絵柄のものを前板５a側の最前面に挿入する。その後、再び栓体５ｄを固定して外観の変更を終了する。
【００２７】
次に、図３を用いて、本発明の第二実施形態について、説明する。上記した第一実施形態と同じ部位には、同じ符号を用いて説明する。第一実施形態との違いは、外観変更部材として、中板の代わりに、巻き取り可能なシートを利用した点である。
【００２８】
図３において、前面部５は、前板５a、後板５ｃに加えて、巻き取り装置８、シート９から成る積層構造である。シート９には、絵柄が、前板５aの大きさ内に収まる間隔でいろいろ施されている。巻き取り装置８は、軸を図示しないモータで回転させることで、巻き取ることができるようになっているが、軸の一端を側面部より突出させて、手で回せるようにしても良い。
【００２９】
次に第二実施形態の動作を説明する。
使用者が衛生設備機器の外観を変更しようとした場合には、図示しない巻き取り装置８の駆動ボタンを押すことで巻き取り装置８の軸が回転し、シート９が巻き取られ、新らしい絵柄が前板５aを透して表示される。使用者は自分の好みにあった絵柄が出た時点で起動ボタンを離し、モーターの駆動を停止し、外観変更が完了する。巻き取り方法は、起動ボタンを1回押すことで１つの絵柄が変更するようにしても良い。更には、衛生設備機器に人体検知手段を設け、人体検知と同時にモータを駆動するようにし、自動的に絵柄を変更するようにすることで、使用者は、毎回異なってイメージでトレイを使用することができる。
【００３０】
次に、図４を用いて、本発明の第三実施形態について、説明する。上記した第一実施形態と同じ部位には、同じ符号を用いて説明する。第一実施形態との違いは、外観変更部材として、中板の代わりに、液晶パネルを利用した点である。
【００３１】
図４において、参照符号１０は、液晶パネルであり、図示しない電源に接続され、通電によって、種々の絵柄に変更できるように制御されている。前板５ａが液晶の保護のため、設けられているが、液晶パネル自体の表面が清掃時等に触れられたも故障しないように構成されていれば、前板５ａは無くても良い。表示される内容としては、使用者の選択する色や模様などを表示するだけでなく、朝の時間帯においては時刻を表示したり、夜間の時間帯においてはトイレ内を淡く照らす照度として使用者の覚醒を抑制する方法などがある。インターネットなどの通信媒体や半導体記憶手段の電子情報を介して、適宜、開示される情報が変更されるようにすることで多彩な外観に変更可能となる。
【００３２】
なお、上記の実施形態では、外観変更について、説明したが、外観変更と同時に音声を併用して表示された絵柄にあった音声を載せることでリラックスしたトイレ空間を演出することも可能となる。また、前面部内に照明を配置し、中板の絵柄を照らすようにしても良い。
【図面の簡単な説明】
【００３３】
【図１】本発明の第一実施形態における衛生設備機器全体を示す斜視図である。
【図２】本発明の第一実施形態を示す部分断面図である。
【図３】本発明の第二実施形態を示す部分断面図である。
【図４】本発明の第三実施形態を示す部分断面図である。
【符号の説明】
【００３４】
１…衛生設備機器
２…洋風大便器
３…便座
４…キャビネット部
５…前面部
５a…前板
５ｂ…中板
５ｃ…後板
５ｄ…栓体
６…側面部
６a…側板
７…天井部
７a…甲板
８…巻き取り装置
９…シート
１０…液晶パネル
【図２】
2010213861.tif 000003
【図３】
2010213861.tif 000004
【図４】
2010213861.tif 000005
【図１】
2010213861.tif 000006